(57)【要約】【課題】従来のものに比べて使用者にとってより快適でかつ露光の間映像捕捉装置が安定な映像捕捉装置の露光制御方法を提供する。【解決手段】シャッター２０を開くべくスイッチに行われた起動動作に反応して第１のトリガー信号Ｓ１を印加し、シャッターを閉じるべくスイッチに行われた起動動作に反応して第２のトリガー信号Ｓ２を印加する。またはスイッチの第１の励起機構を起動して第１のトリガー信号を印加してシャッターを開き、スイッチの第２の励起機構を起動して第２のトリガー信号Ｓ２を印加してシャッターを閉じる。またはリリースボタンを押下解放してシャッターを開くべく駆動し、リリースボタンを押下解放してシャッターを所定の時間閉じるべく駆動し、所定時間の間リリースボタンの押下解放によりシャッターが閉じるべく駆動されないときに自動的にシャッターを閉じる。【選択図】　図２
2004046172.tif 000002
【特許請求の範囲】
【請求項１】
併設のスイッチを操作することによりシャッターを介して映像捕捉装置の露光を制御する方法であって、シャッターを開くべくスイッチに行われた起動動作に反応して第１のトリガー信号を印加し、シャッターを閉じるべくスイッチに行われた起動動作に反応して第２のトリガー信号を印加することを特徴とする露光制御方法。
【請求項２】
さらに第１のトリガー信号が印加されてから所定時間が経過しかつ第２のトリガー信号の印加前に自動的にシャッターを閉じることを特徴とする請求項１に記載の方法。
【請求項３】
起動動作に際してリリースボタンをまず押下してついで開放することであることを特徴とする請求項１に記載の方法。
【請求項４】
スイッチが映像捕捉装置の本体に取り付けられていることを特徴とする請求項１に記載の方法。
【請求項５】
スイッチが映像捕捉装置の本体から分離しておりかつケーブルまたは無線送信によりシャッターを制御することを特徴とする請求項１に記載の方法。
【請求項６】
映像捕捉装置がフィルムタイプのカメラであって、Ｂシャッター速度設定に適用されることを特徴とする請求項１に記載の方法。
【請求項７】
シャッターおよびそれに併設されたスイッチを介して映像捕捉装置の露光を制御する方法であって、スイッチの第１の励起機構を起動して第１のトリガー信号を印加してシャッターを開き、スイッチの第２の励起機構を起動して第２のトリガー信号を印加してシャッターを閉じることを特徴とする露光制御方法。
【請求項８】
さらに第１のトリガー信号が印加されてから所定の時間が経過しかつ第２のトリガー信号の印加前にシャッターを自動的に閉じることを特徴とする請求項７に記載の方法。
【請求項９】
第１と第２の励起機構が同じリリースボタンであるかまたは押下された後解放されて第１と第２のトリガー信号をそれぞれ印加する第１と第２のリリースボタンであることを特徴とする請求項７に記載の方法。
【請求項１０】
シャッターとその開閉状態を制御するリリースボタンとを有したフィルムタイプカメラの露光を制御する方法であって、リリースボタンを押下解放してシャッターを開くべく駆動し、リリースボタンを押下解放してシャッターを所定の時間閉じるべく駆動し、所定時間の間リリースボタンの押下解放によりシャッターが閉じるべく駆動されないときに自動的にシャッターを閉じることを特徴とする露光制御方法。
【請求項１１】
所定の時間が調節可能であることを特徴とする請求項１０に記載の方法。
【発明の詳細な説明】
【０００１】
【産業上の利用分野】
この発明は例えばデジタルカメラなどの映像捕捉装置の露光制御方法に関するものである。
【０００２】
【従来技術】
典型的なフィルムタイプカメラは３個の本質的な部分、つまり本体と光学ユニットとフィルムとを有している。本体は実質的に不透明である。光学ユニットは本体前部に配置された複数の敏感なレンズを有している。フィルム上には感光性材料が塗布されていて本体の後部に配置される。撮影された対象から反射された光がレンズによりフィルム上に焦点を結ぶと、フィルムの感光性材料が光に露光されて化学変化を起こして認識可能な映像を記録する。
【０００３】
またフィルムタイプのカメラは光学経路中に配置されて露光時間を制御するシャッターを有している。一般的な目的として、シャッターに併設されて本体上に配置されたリリースボタンが押下されると、シャッターは即座に所定の短時間開いて光を本体内に入れ、光学経路に沿って感光性材料上に焦点を結ばせる。所定の時間経過すると、シャッターは自動的に閉じられてフィルムが受ける光の量を制御する。
【０００４】
例えば花火や流水や照明または夜間交通が撮影される場合には、所謂Ｂシャッター速度設定が必要となる。Ｂシャッター速度設定に際しては、リリースボタンが押下されている限りはシャッターが開いており、これによって長時間露光することになる。
【０００５】
【発明が解決しようとする課題】
Ｂシャッター速度は露光を長くするがある種の欠点がある。例えば露光が満足なものとなるまでリリースボタンを連続押下する必要がある。
【０００６】
加えてそのような超遅シャッター速度設定に際しては、長い保持時間の故にカメラを容易に固定できなければならない。したがって露光を行う間は三脚などのカメラ保持手段が必要となる。
【０００７】
このような欠点を補うべく三脚と一緒にリリースケーブルを用いて、Ｂシャッターを開閉いずれかの状態に制御することが行われる。リリースケーブルについては公知であるので説明を省略する。しかしそのようなリリースケーブルは露光を行っている間その一端で絶え間なくボタンを押下することにより操作するものである。このようにボタンを連続的に押下することは使用者にとって快適なことではない。
【０００８】
かかる従来技術の現状に鑑みてこの発明の目的は従来のものに比べて使用者にとってより快適でかつ露光の間映像捕捉装置が安定な映像捕捉装置の露光制御方法を提供することにある。
【０００９】
【課題を解決するための手段】
このため第１の発明にあっては、まずスイッチへの起動動作に反応して第１のトリガー信号を印加してシャッターを開き、ついでスイッチへの起動動作に反応して第２のトリガー信号を印加して開いたシャッターを閉じるものである。
【００１０】
一実施例にあっては、第１のトリガー信号が印加されてから所定の時間が経過してかつ第２のトリガー信号の印加前にシャッターを自動的に閉じる。
【００１１】
他の実施例にあっては、スイッチがリリースボタンであって、かつ起動動作に際してリリースボタンを押下解放する。
【００１２】
他の実施例にあっては、スイッチが映像捕捉装置の本体に取り付けられている。またスイッチは映像捕捉装置から分離して、ケーブルまたは無線送信によりシャッターを制御するようにしてもよい。
【００１３】
映像捕捉装置はフィルムタイプカメラであるのが望ましい。
【００１４】
さらに映像捕捉装置の露光制御がＢシャッター速度設定に応用されるのが望ましい。
【００１５】
また第２の発明にあっては、スイッチの第１の励起機構を起動して第１のトリガー信号を印加してシャッターを開き、スイッチの第２の励起機構を起動して第２のトリガー信号を印加してシャッターを閉じることを要旨とする。
【００１６】
一実施例にあってはさらに、第１のトリガー信号が印加されてから所定の時間が経過しかつ第２のトリガー信号の印加前に、自動的にシャッターを閉じる。
【００１７】
他の実施例にあっては、第１と第２の励起機構が同じリリースボタンである。
【００１８】
他の実施例にあっては、第１と第２の励起機構が第１と第２のリリースボタンである。
【００１９】
他の実施例にあっては、第１のリリースボタンを押下解放することにより第１のトリガー信号が印加される。第２のリリースボタンを押下解放することにより第２のトリガー信号が印加される。
【００２０】
他の実施例にあっては、第１と第２の励起機構が映像捕捉装置の本体に取り付けられている。
【００２１】
他の実施例にあっては、第１と第２の励起機構がそれぞれ映像捕捉装置から分離されており、かつケーブルまたは無線送信によりシャッターを制御する。
【００２２】
第３の発明にあっては、リリースボタンを押下解放してシャッターを開くべく駆動し、リリースボタンを押下解放してシャッターを所定の時間閉じるべく駆動し、所定時間の間リリースボタンの押下解放によりシャッターが閉じるべく駆動されないときに自動的にシャッターを閉じることを要旨とする。
【００２３】
一実施例にあっては、所定の時間が調節可能である。
【００２４】
【実施例】
以下添付の図面に示す実施例によりさらに詳しくこの発明を説明する。
【００２５】
図１（ａ）〜１（ｃ）にこの発明の方法を実施するためのリリースボタンの３通りの例を示す。一般にシャッター２０はカメラのケース２内に配置されているが、リリースボタンの配置態様は異なる。
【００２６】
例えば図１（ａ）に示すように、Ｂシャッター速度設定のためのボタン２１はケース２上に取り付けられている。ボタン２１が押下解放されると、第１のトリガー信号Ｓ１が印加されてシャッターを開き、光がカメラ内に入るようになる。露光時間が充分であると考えられる場合には、使用者はボタン２１を再度押下解放する。かくして第２のトリガー信号Ｓ２が印加されてシャッター２０を閉じて露光が終了される。
【００２７】
ケース２に取り付けられたボタン２１に加えて、遠隔制御器または遠隔スイッチ２０１をリリースケーブル２３を介して図１（ｂ）に示すように設けて、好ましくない揺れを回避すべく三脚と一緒に操作する。Ｂシャッター速度設定のためのリリースボタン２１１がスイッチ２０１上に配置されている。
【００２８】
ボタン２１、２１１のいずれかが押下解放されると、第１のトリガー信号Ｓ１が印加されてシャッターを開く。露光後のこのリリースボタンの押下解放により、第２のトリガー信号Ｓ２が印加されてシャッターを閉じて露光を終了する。これに代えてリリースケーブル２３を介しての信号送信を無線送信にしてもよい。
【００２９】
上記したように同じボタン２１またはスイッチ２０１を２回起動してシャッターを開閉するのとは別に、シャッター２０の開閉状態の制御は２個の異なるリリースボタンを使っても行うことができる。例えば図１（ｃ）に示すようにリリースボタン２１１、２１２をスイッチ２０１上に配置する。リリースボタン２１１が押下解放されると第１のトリガー信号Ｓ１が印加されてシャッター２０を開く。露光後にリリースボタン２１２を押下解放することにより、第２のトリガー信号Ｓ２が印加されてシャッター２０を閉じる。
【００３０】
それ以上リリースボタンを押下解放することなく、露光の終了はタイミング結果に応じて決定される。例えばボタン２１またはスイッチ２０１が押下解放されると、Ｂシャッター速度設定に入り、タイミング動作が開始する。所定の時間が経過するとシャッター２０は自動的に閉じられる。カメラ内のフィルムは長時間露光だと過剰露光されるので、タイミング動作はこの過剰露光を避けるように行うのが望ましい。
【００３１】
勿論所定時間内に第２のトリガー信号Ｓ２を印加することにより露光を中断することができる。図１（ｂ）のカメラに基づいてこの発明によりカメラの露光を制御する作業の流れを図２に示す。
【００３２】
【発明の効果】
従来のようにリリースボタンを連続押下するのに代えて、シャッターの開閉状態がリリースボタンを短時間押下解放することにより励起できるので、露光が比較的長くかつカメラの保持手段を欠くときにもカメラはその安定した姿勢を保つ。したがって従来技術に比べて使用者にとって快適でありかつコスト低減の効果を奏する。
【図面の簡単な説明】
【図１】（ａ）　この発明の方法の実施に用いるリリースボタンの構成の一例を示すブロック線図である。
（ｂ）　同じくリリースボタンの構成の他の例を示すブロック線図である。
（ｃ）　同じくリリースボタンの構成の他の例を示すブロック線図である。
【図２】Ｂシャッター速度設定におけるこの発明の方法のステップを示す流れ図である。
【符号の説明】
２　　：　ケース
２０　：　シャッター
２１　：　ボタン
２０１：　遠隔制御器
【図１】
2004046172.tif 000003
【図２】
2004046172.tif 000004